(57)【要約】【課題】一度多段に段組した枠組足場の中間においても任意に手摺をはずすことができ、部品の落下、紛失や、錆つきによる作動不良を防止でき、手摺の着脱作業も容易な手摺取付装置および手摺支柱を提供することである。【解決手段】手摺取付装置Ｔを手摺支柱Ｒに直径方向に向けて回転自在に挿入される棒状本体２と、棒状本体２の先端に設けた手摺係止用の係止部１と、棒状本体２の基端側に設けた操作桿Ｓとで構成され、係止部１を、手摺１５側に設けた孔１６に符合もしくは挿入可能であって、操作桿Ｓの自重で棒状本体２が回転したとき、上記孔１６と係着可能な形状とした。さらに上述の手摺取付装置Ｔを手摺支柱Ｒに取付けた。【選択図】　　　　図１
2004076468.tif 000002
【特許請求の範囲】
【請求項１】
建枠の建材に着脱自在に取付けられる手摺支柱に、手摺を直行する方向に取付ける手摺取付装置において、手摺支柱に直径方向に向けて回転自在に挿入される棒状本体と、棒状本体の先端に設けた手摺係止用の係止部と、棒状本体の基端側に設けた操作桿とで構成され、係止部を、手摺側に設けた孔に符合もしくは挿入可能であって、操作桿の自重または回転操作で棒状本体が回転したとき上記孔と係着可能な形状としたことを特徴とする手摺取付装置。
【請求項２】
係止部と孔とが矩形、楕円形、三角形または平行四辺形の形状に形成されてなる請求項１に記載の手摺取付装置。
【請求項３】
操作桿が、上記棒状本体に対し垂直に取付けられる操作部と、操作部の先端に設けた手摺支柱に引っ掛かる引掛部とを有してなり、当該引掛部が手摺支柱に引っ掛かった状態のとき、上記係止部が上記孔と係着して手摺を係止することを特徴とする請求項１または２に記載の手摺取付装置。
【請求項４】
支柱本体と、支柱本体の下方に設けられて当該支柱本体を建材に着脱自在に取付ける取付手段と、支柱本体の上方に取付けた請求項１、２または３に記載の手摺取付装置とを有する手摺支柱。
【請求項５】
取付手段が、建材を抱持するプレートと、建材を挟持する挟持具とからなり、プレートは、プレート本体と、プレート本体の先端側から基端側に向って設けた切欠と、切欠の中間部に設けた建材を抱持する抱持孔とで構成され、その基端側が支柱本体に固着され、挟持具は、挟持具本体と、挟持具本体の先端側に設けた建材を挿入する切欠と、挟持具本体の先端に設けた上記切欠と協働して建材を挟持する楔機構とで構成され、その基端側が支柱本体に固着されたことを特徴とする請求項４に記載の手摺支柱。
【発明の詳細な説明】
【０００１】
【発明の属する技術分野】
本発明は、建枠の建材に着脱自在に取付けられる手摺保持用の手摺支柱の手摺取付装置の改良およびこの手摺取付装置を備えた手摺支柱に関する。
【０００２】
【従来の技術】
一般に建物の建設現場、土木工事の現場では足場装置または支保工として利用される枠組足場が設置されている。この枠組足場は、たとえば、特開平７−２７９４０２号公報に示すように、多数の足場枠を下方から上方に段組し、各足場枠に手摺を先行手摺として順次下方から上方に組付けるものである。
【０００３】
しかし、この手摺は縦方向に縦杆と、水平方向の手摺杆および横杆が一体化されているため、この手摺を先行手摺として下方の足場板状で組付けるには重量が重く搬送や、着脱作業が困難である。
【０００４】
そこで、本発明者は縦杆と手摺杆とを分離し、足場枠の段組に応じて先行手摺として縦杆と手摺杆とを独立して組付ける手摺の取り付け装置を開発し、特許出願している（特願２００１−１６３８８４号）。
【０００５】
この手摺の取付装置は図１０に示すように取り付け手段Ａ、Ｂを介して足場枠に取付けられる左右一対の手摺支柱５５と、手摺支柱５５、５５間に取り付け手段Ｃを介して取付けられる手摺６６とからなり、取付手段Ｃは、手摺支柱５５に設けた係止部７６と手摺６６の端部に形成した正面ややＴ字状の取付孔７５とからなるものである。
【０００６】
そして、たとえば左側の足場枠上に起立させている左方の手摺支柱５５の係止部７６に手摺６６の左側の取付孔７５を介して装着し、次にこの手摺６６の右側の取り付け孔７５に右方の手摺支柱５５の係止部７６を挿入しかつこの手摺支柱５５を手摺５５とともに上方に持ち上げながら右方の足場枠に結合させるものである。
【０００７】
【発明が解決しようとする課題】
上記新たに開発した手摺の取付装置では機能上、特に問題があるわけではないが、以下のような不具合の改善が望まれた。
【０００８】
すなわち、手摺６６を手摺支柱５５に結合する際には手摺支柱５５と手摺６６とを一本づつ順番に取付けていくから問題は無いが、足場枠と手摺とを多数に段組した後には左右の手摺支柱５５、５５間の距離を調整できず、たとえば、枠組足場の中間で作業をするような場合、中間に設置された手摺５５が邪魔になる場合が生じ、この手摺５５をはずしたい場合がある。
【０００９】
しかし、一度設置された中間の手摺は上記手摺支柱５５、５５間の距離に規制され、手摺５５を左右方向にずらすことができず、結果として手摺６６を取り外すことができない。
【００１０】
また、取付手段Ｃをボルトとナット、ピンまたはグラビティロック等の従来から知られている取付装置を利用すれば、このような不具合を解消できるが、逆にこのような取付具は手摺支柱５５等から独立しているための単独で落下したり、搬送中に紛失したり、あるいは長期間の使用中に錆付いてしまう恐れがあり、さらに、着脱時に手を伸ばして作業するため、操作性も悪いという不具合がある。
【００１１】
そこで、本発明の目的は一度多段に段組した枠組足場の中間においても任意に手摺をはずすことができ、部品の落下、紛失や、錆つきによる作動不良を防止でき、手摺の着脱作業も容易な手摺取付装置および手摺支柱を提供することである。
【００１２】
【課題を解決するための手段】
上記課題を解決するための第１の手段として、本発明の手摺取付装置は、建枠の建材に着脱自在に取付けられる手摺支柱に、手摺を直行する方向に取り付ける手摺取付装置において、手摺支柱に直径方向に向けて回転自在に挿入される棒状本体と、棒状本体の先端に設けた手摺係止用の係止部と、棒状本体の基端側に設けた操作桿とで構成され、係止部を、手摺側に設けた孔に符合もしくは挿入可能であって、操作桿の自重または回転操作で棒状本体が回転したとき上記孔と係着可能な形状としたことを特徴とする。
【００１３】
上記構成としたから、手摺に設けた孔に係止部を挿入し、棒状本体を回転させるだけで、手摺を係止することが可能であるので、簡易に手摺を手摺支柱に固定することが可能であるとともに、棒状本体を回転させるのに操作桿を操作または操作桿自体の自重を利用すれば良いので、その操作も簡単である。
【００１４】
さらに、手摺を取り外す際には、操作桿を回転させるだけでよいから、取外しも簡単であり、また、棒状本体が錆びつき等で回転に抵抗が生じる場合にあっても、操作桿を設けているので、操作桿に比較的小さな力を加えるだけで棒状本体を回転させることが可能であるから、操作性も向上する。
【００１５】
したがって、上述のように手摺が手摺支柱に着脱自在に取付けられていることとなり、一度多段に段組した枠組足場の中間においても任意に手摺をはずすことが可能となる。
【００１６】
また、係止部を上記の形状としているので、手摺が手摺支柱から脱落することが防止され、手摺支柱に当該手摺取付装置を使用した際には、係止部と操作桿とにより手摺取付装置が手摺支柱から脱落することが防止されるので、手摺取付装置の落下、紛失が防止されるとともに、安全性も向上する。
【００１７】
また、第２の課題解決手段は、第１の課題解決手段において、係止部と孔とが矩形、楕円形、三角形または平行四辺形の形状に形成されてなる。
【００１８】
したがって、具体的には係止部と孔とを上記のような形状としてもよい。
【００１９】
さらに、第３の課題解決手段は、第１または２の課題解決手段において、操作桿が、上記棒状本体に対し垂直に取付けられる操作部と、操作部の先端に設けた手摺支柱に引っ掛かる引掛部とを有してなり、当該引掛部が手摺支柱に引っ掛かった状態のとき、上記係止部が上記孔と係着して手摺を係止することを特徴とする。
【００２０】
したがって、操作桿の引掛部が、手摺を係止した状態において、手摺支柱に引っ掛かるので、手摺が手摺支柱に固定されている状態か否かが、目視で簡単に確認できるので、作業員の確認作業が簡易なものとなる。
【００２１】
また、引掛部が手摺支柱に引っ掛かるので、手摺支柱や手摺に振動が加えられても、操作桿のふらつきが防止されるので、一層安定的に手摺の固定状態を維持することが可能である。
【００２２】
また、さらに、第４の課題解決手段は、支柱本体と、支柱本体の下方に設けられて当該支柱本体を建材に着脱自在に取付ける取付手段と、支柱本体の上方に取付けた第１、２または３の課題解決手段の請求項１、２または３に記載の手摺取付装置とを有する手摺支柱である。
【００２３】
したがって、上記した作用効果を実現できることは無論である。
【００２４】
そして、さらに、第５の課題解決手段は、第４の課題解決手段において、取付手段が、建材を抱持するプレートと、建材を挟持する挟持具とからなり、プレートは、プレート本体と、プレート本体の先端側から基端側に向って設けた切欠と、切欠の中間部に設けた建材を抱持する抱持孔とで構成され、その基端側が支柱本体に固着され、挟持具は、挟持具本体と、挟持具本体の先端側に設けた建材を挿入する切欠と、挟持具本体の先端に設けた上記切欠と協働して建材を挟持する楔機構とで構成され、その基端側が支柱本体に固着されたことを特徴とする。
【００２５】
上述した、第４の課題解決手段と同様の作用効果を実現できることは無論のこととして、プレートに切欠を設けたので、建材に手摺支柱を取付ける際、建材に取付けられた種々の部材が、切欠内を通過させることが可能であるので、種々の部材が邪魔になることはない。
【００２６】
【発明の実施の形態】
本発明の実施の形態は、図１ないし図２に示す第１の実施の形態と、図４に示す第２の実施の形態がある。第１の実施の形態における手摺取付装置Ｔは、図１に示すように、手摺支柱Ｒに手摺支柱Ｒの直径方向に向けて回転自在に挿入される棒状本体２と、棒状本体２の先端に設けた手摺係止用の係止部１と、棒状本体２の基端側にピン５で結合した操作桿Ｓとで構成され、また、図１（Ｃ）は手摺取付装置Ｔの正面図であるが、係止部１は、手摺取付装置Ｔを正面から見て、長円形をしており、その長手方向の長さは、後述する手摺１５の孔１６の上下方向の長さより長く設定されている。なお、操作桿Ｓと棒状本体２との結合には、ピン５による結合以外の他の慣用手段を用いても良い。
【００２７】
そして、この手摺取付装置Ｔは、たとえば、図４に示すように、手摺支柱Ｒの支柱本体３１の上方に取付けられ使用される。
【００２８】
一方、手摺１５側に設けた孔１６は、図２に示すように、正面から見て全体がややＴ字状の形状をしており、これは中央の貫通孔部１１ａの両側壁を切欠いて連接した一対の貫通溝１１ｂとで構成されている。そして、上記貫通孔部１１ａの縦溝の内径Ｌ１と対角線方向の寸法は係止部１の長手方向の長さより長く形成され、上記貫通溝１１ｂの巾寸法Ｌ２は棒状本体２の外径より長く、かつ、係止部１の長手方向の長さより短く成形されている。
【００２９】
これにより、貫通溝１１ｂ内に棒状本体２を嵌合させながら係止部１を９０度回転させると係止部１が貫通溝１１ｂと符合し孔１６から抜けなくなる。
【００３０】
さらに、手摺１５の孔１６が、上記のような形状であるので、図３に示すように、係止部１の長手方向の軸線が手摺支柱Ｒの軸線に対し並行な状態にあっても、手摺１５を手摺支柱Ｒに対し斜めにして、孔１６に係止部１を挿入可能となっている。
【００３１】
操作桿Ｓは、図１（Ａ）、（Ｂ）および（Ｃ）に示すように、上記棒状本体２に対し垂直に、かつ、手摺支柱Ｒの軸線に対し並行に取付けられる操作部３と、操作部３の先端に設けた手摺支柱Ｒに引っ掛かる引掛部４とを有してなり、当該引掛部４が手摺支柱Ｒに引っ掛かった状態で、上記係止部１の長円形長手方向の軸線が手摺支柱Ｒに対し並行となるように設定されている。引掛部４は、本実施の形態では手摺支柱Ｒが円筒状であるので、半円形状とされているが、手摺支柱Ｒの形状に合わせて形成するようにすれば良い。
【００３２】
つづいて、その作用について説明すると、図２に示すように、先ず操作桿Ｓを手摺支柱Ｒに対し９０度図中において反時計回り方向に向って、回転させる。すると、操作桿Ｓは、棒状本体２に連結されているので、棒状本体２も手摺支柱Ｒ内で９０度図中反時計回り方向に回転する。さらに、係止部１は、棒状本体２の先端に設けられているので、係止部１も９０度図中右方向に回転し、係止部１を水平に保持する。この状態で孔１６内に係止部１を貫通させながら挿入し、棒状本体２を右方の貫通溝１１ｂに嵌入し、ついで、操作桿Ｓを上記とは逆に時計回り方向に９０度回転させる。
【００３３】
このとき、手摺支柱Ｒと操作桿Ｓとが並行な状態となり、係止部１の長手方向の軸線が手摺支柱Ｒと並行となる。加えて、操作桿Ｓの引掛部４が手摺支柱Ｒに引っ掛かる。したがって、この引掛部４が手摺支柱Ｒに引っ掛かるので、手摺支柱や手摺に振動等が負荷されても、操作桿のふらつきが防止されるので、一層安定的に手摺の固定状態を維持することが可能である。このとき、操作桿Ｓを操作して、操作桿Ｓを手摺支柱Ｒの軸線に対し並行となる位置、すなわち、元の位置に戻しても良いが、操作桿Ｓをわざわざ元の位置に戻さずとも、操作桿Ｓ自体の重みで自動的に、操作桿Ｓが手摺支柱Ｒと並行な状態に戻る。なお、上述の効果は失われるが、引掛部４を設けなくとも、使用可能である。
【００３４】
すると、係止部１の長手方向の長さは、手摺１５の孔１６における貫通溝１１ｂの上下の巾寸法Ｌ２より長いので、係止部１が孔１６から抜けなくなり、手摺１５が手摺取付装置Ｔから抜けなくなる。すなわち、手摺１５を固定することができ、かつ、孔１６には、棒状本体２が挿入されている状態であるから、手摺１５に振動や力を負荷しても、手摺支柱から脱落してしまうことは無い。
【００３５】
したがって、手摺に設けた孔に係止部を挿入し、棒状本体を回転させるだけで、手摺を係止することが可能であるので、簡易に手摺を手摺支柱に固定することが可能であるとともに、棒状本体を回転させる操作桿の自重を利用しているので、その操作も簡単である。
【００３６】
逆に、手摺１５を、取り外す際には、操作桿Ｓを手摺支柱Ｒと並行な状態から図中反時計回り方向に９０度回転させ、係止部１と手摺１５の孔１６に符合させて手摺１５を抜けばよい。
【００３７】
したがって、手摺を取り外す際には、操作桿を回転させるだけでよいから、取外しも簡単であり、また、棒状本体が錆びつき等で回転に抵抗が生じる場合にあっても、操作桿を設けているので、いわゆる、梃と同様の働きで、操作桿に比較的小さな力を加えるだけで棒状本体を回転させることが可能であるから、操作性も向上する。
【００３８】
したがって、上述のように手摺が手摺支柱に着脱自在に取付けられていることとなり、一度多段に段組した枠組足場の中間においても任意に手摺をはずすことが可能となる。
【００３９】
また、係止部を上記の形状としているので、手摺が手摺支柱から脱落することが防止され、手摺支柱に当該手摺取付装置を使用した際には、係止部と操作桿とにより手摺取付装置が手摺支柱から脱落することが防止されるので、安全性も向上する。
【００４０】
さらに、手摺１５の孔１６が、上記のような形状であるので、すなわち、中央に対角線方向の寸法が係止部１の長手方向の長さより大きい貫通孔部１１ａを備えているので、図３に示すように、係止部１の長手方向の軸線が手摺支柱Ｒに並行な状態にあっても、手摺１５を手摺支柱Ｒに対し斜めにして、孔１６に係止部１を挿入可能となっている。このように、手摺１５を手摺支柱Ｒに対し斜めにして、手摺１５を手摺支柱Ｒに取り付け可能であるので、図５に示すように、１つの手摺支柱Ｒを建材３０に固定して、手摺１５の一端を上記のようにして取付けた後、別の手摺支柱Ｒに手摺１５の他端を固定してから、当該手摺支柱Ｒを建材３０に取付けることが可能となり、建材に架設した足場板Ａ上の作業員が、その足場板Ａより階上の手摺支柱に手摺を取付けることが可能であるので、作業員の安全性が向上する。
【００４１】
なお、係止部の形状と手摺の孔の形状は、上述したものに限られず、手摺を手摺支柱に対し斜めにして取付けることを考慮しなければ、たとえば、係止部と手摺の孔の形状を矩形、楕円形、三角形や平行四辺形としても良く、また、本実施の形態では図１のように係止部の図中ほぼ中心に棒状本体を結合させているが、係止部の図中ほぼ中心以外に棒状本体を結合してもよい。
【００４２】
第２の実施の形態は、図４に示すように、支柱本体３１の上方２箇所に設けた第１の実施の形態の手摺取付装置Ｔと、支柱本体３１の下方に設けた支柱本体３１を建材３０に着脱自在に取付ける取付手段とを備えた手摺支柱Ｒである。
【００４３】
上記取付手段は、図４示すように、建材を抱持するプレートＰと、建材を挟持する挟持具Ｈとからなり、プレートＰは、図６ないし図７に示すように、プレート本体１０と、プレート本体１０の先端側から基端側に向かって設けた切欠１２と、切欠１２の中間部に設けた建材３０を抱持する抱持孔１６とで構成され、その基端側が支柱本体３１に固着されている。そして、プレート本体１０は平板な板で形成され、その側方には対向する一対の立ち上り部１３、１４が設けられ、基端側は手摺支柱Ｒの支柱本体３１に固着されている。この立ち上り部１３、１４は強度を補償するために設けられているが、特に設けなくとも使用可能である。
【００４４】
他方、挟持具Ｈは、図８ないし図９に示すように、挟持具本体２１と、挟持具本体２１の先端側に設けた建材３０を挿入する切欠２６と、挟持具本体２１の先端に設けた上記切欠２６と協働して建材３０を挟持する楔機構Ｋとで構成され、その基端側が支柱本体３１に固着されている。そして、挟持具本体２１は平板な板で形成され、その側方には対向する一対の立ち上り部２４、２５が設けられ、基端側は手摺支柱Ｒの支柱本体３１に固着されている。この立ち上り部２４、２５は強度を補償するために設けられているが、特に設けなくとも使用可能である。
【００４５】
また、楔機構Ｋは、楔２３と楔２３を固定する略Ｕ字状の固定具２２とで構成され、挟持具本体２１の下面に固定具２２のＵ字の開口端側が接合されており、楔２３が挟持具本体２１と上記固定具２２でつくられるスリットに挿入される。
【００４６】
さて、この手摺支柱Ｒの建材３０への取付け方であるが、先ず、建材３０の上方から、プレートＰの抱持孔１６に建材３０を挿入する。このとき、プレートＰには上記切欠１２を設けてあるので、切欠１２内を建材３０に取付けられた種々の部材（図示せず）が通過することができるから、上記の種々の部材が邪魔になることはない。
【００４７】
つぎに、建材３０を挟持具Ｈの切欠２６内に挿入し、楔２３を側方から固定具２２と挟持具本体２１とでつくられるスリットに挿入しながら、切欠２６方向に打ち込む。すなわち、上記切欠２６と楔２３とで、建材３０を挟持することになり、挟持具Ｈと建材３０とが固定される。すると、手摺支柱Ｒが建材３０に固定される。
【００４８】
さらに、手摺を手摺支柱Ｒに取付ける際には、第１の実施の形態と同様であるので、その説明を省略するが、その作用効果は第１の実施の形態と同様である。
【００４９】
【発明の効果】
各請求項の発明によれば、手摺に設けた孔に係止部を挿入し、棒状本体を回転させるだけで、手摺を係止することが可能であるので、簡易に手摺を手摺支柱に固定することが可能であるとともに、棒状本体を回転させるのに操作桿を操作または操作桿の自重を利用しているので、その操作も簡単である。
【００５０】
さらに、手摺を取り外す際には、操作桿を回転させるだけでよいから、取外しも簡単であり、また、棒状本体が錆びつき等で回転に抵抗が生じる場合にあっても、操作桿を設けているので、操作桿に比較的小さな力を加えるだけで棒状本体を回転させることが可能であるから、操作性も向上する。
【００５１】
したがって、上述のように手摺が手摺支柱に着脱自在に取付けられていることとなり、一度多段に段組した枠組足場の中間においても任意に手摺をはずすことが可能となる。
【００５２】
また、係止部を上記の形状としているので、手摺が手摺支柱から脱落することが防止され、手摺支柱に当該手摺取付装置を使用した際には、係止部と操作桿とにより手摺取付装置が手摺支柱から脱落することが防止されるので、安全性も向上する。
【００５３】
さらに、請求項３の発明によれば、操作桿の引掛部が、手摺を係止した状態において、手摺支柱に引っ掛かるので、手摺が手摺支柱に固定されている状態か否かが、目視で簡単に確認できるので、作業員の確認作業が簡易なものとなる。
【００５４】
また、引掛部が手摺支柱に引っ掛かるので、手摺支柱や手摺に振動が加えられても、操作桿のふらつきが防止されるので、一層安定的に手摺の固定状態を維持することが可能である。
【００５５】
そして、請求項５に記載の発明によれば、プレートに切欠を設けたので、建材に手摺支柱を取付ける際、建材に取付けられた種々の部材が、切欠内を通過させることが可能であるので、種々の部材が邪魔になることはない。
【００５６】
なお、係止部の長手方向の軸線が手摺支柱に並行な状態にあっても、手摺を手摺支柱に対し斜めにして、孔に係止部を挿入可能としておけば、１つの手摺支柱を建材に固定して、手摺の一端を上記のようにして取付けた後、別の手摺支柱に手摺の他端を固定してから、当該手摺支柱を建材に取付けることが可能となり、建材に架設した足場板上の作業員が、その足場板より階上の手摺支柱に手摺を取付けることが可能であるので、作業員の安全性が向上するという効果もある。
【図面の簡単な説明】
【図１】（Ａ）手摺支柱に取付けられた第１の実施の形態における手摺取付装置の右側面図である。
（Ｂ）手摺支柱に取付けられた第１の実施の形態における手摺取付装置の平面図である。
（Ｃ）手摺支柱に取付けられた第１の実施の形態における手摺取付装置の正面図である。
【図２】第１の実施の形態の手摺取付装置の係止部を手摺の孔に挿入した状態における手摺取付装置の正面図である。
【図３】手摺支柱に対し手摺を斜めにして、第１の実施の形態の手摺取付装置の係止部を、手摺の孔に挿入した状態における手摺取付装置の正面図である。
【図４】手摺取付装置と、取付手段とを備えた手摺支柱の右側面図である。
【図５】手摺を取付けている状態を示す枠組足場の正面図である。
【図６】プレートの平面図である。
【図７】プレートの右側面図である。
【図８】挟持具の平面図である。
【図９】挟持具の右側面図である。
【図１０】従来の手摺取付装置の正面図である。
【符号の説明】
１　係止部
２　棒状本体
３　操作部
４　引掛部
１０　プレート本体
１１　抱持孔
１２、２６　切欠
１５　手摺
１６　孔
２１　挟持具本体
２２　固定具
２３　楔
３０　建材
３１　支柱本体
Ｈ　挟持具
Ｋ　楔機構
Ｐ　プレート
Ｒ　手摺支柱
Ｓ　操作桿
Ｔ　手摺取付装置
【図１】
2004076468.tif 000003
【図２】
2004076468.tif 000004
【図３】
2004076468.tif 000005
【図４】
2004076468.tif 000006
【図５】
2004076468.tif 000007
【図６】
2004076468.tif 000008
【図７】
2004076468.tif 000009
【図８】
2004076468.tif 000010
【図９】
2004076468.tif 000011
【図１０】
2004076468.tif 000012